(57)【特許請求の範囲】
【請求項１】
近距離無線の通信機能を内蔵する携帯電話からの、特定の電子的文書ファイルの転送指示及び転送先情報と、前記携帯電話のアドレス情報により暗号化された前記近距離無線の通信機能のアドレス情報とを、受信する第１受信手段と、
前記携帯電話のアドレス情報を検知する第１検知手段と、
前記第１検知手段により検知したアドレス情報により、前記暗号化された前記近距離無線の通信機能のアドレス情報を復号する第１復号手段と、
前記第１復号手段により復号された前記近距離無線の通信機能のアドレス情報に基づいて、前記転送要求された電子的文書ファイルを暗号化し送信する手段と、
を備えるファイルサーバと、
前記ファイルサーバの前記送信手段から送信される暗号化された電子的文書ファイルを受信する第２受信手段と、
前記電子的文書ファイルの印刷指示と前記近距離無線の通信機能のアドレス情報を前記携帯電話からの近距離無線の通信機能によりを受け付ける受付手段と
前記受付手段により受け付けた前記近距離無線の通信機能のアドレス情報により、前記第２受信手段によって受信された前記暗号化された電子的文書ファイルを復号する第２復号手段とを備える印刷サーバと、
から成ることを特徴とする電子的文書ファイルの印刷システム。
【請求項２】
前記印刷サーバは、前記印刷装置の近傍に設置されて成ることを特徴とする、請求項１に記載の電子的文書ファイルの印刷システム。
【請求項３】
前記印刷サーバは、前記印刷装置の設置された場所から離れて設置され回線を介して複数の前記印刷装置に接続されて成ることを特徴とする、請求項１に記載の電子的文書ファイルの印刷システム。
【請求項４】
近距離無線の通信機能を内蔵する携帯電話により、電子的文書ファイルを記憶するファイルサーバに特定の電子的文書ファイルの転送及び転送先と、前記携帯電話のアドレス情報により暗号化された前記近距離無線の通信機能のアドレス情報を、前記ファイルサーバに送信するステップと、
前記ファイルサーバにおいて前記携帯電話のアドレス情報を検知しこのアドレス情報により、前記近距離無線の通信機能のアドレス情報を復号化するステップと、
このステップにより復号化された前記近距離無線の通信機能のアドレス情報により、前記転送を指示された電子的文書ファイルを暗号化し、印刷可能な形式に変換する印刷サーバに転送するステップと、
このステップにより印刷サーバに転送された電子的文書ファイルを前記近距離無線の通信機能のアドレス情報により復号化するステップと、
このステップにより復号化された前記電子的文書ファイルの印刷を前記携帯電話からその近距離無線の通信機能により印刷装置に指示するステップとを備えて成ることを特徴とする電子的文書ファイルの印刷方法。
【発明の詳細な説明】
【０００１】
【発明の属する技術分野】
本発明は、携帯電話を用いて特定の電子的文書ファイルの印刷物を所望の場所で得ることができる印刷システムとその方法などに関する。
【０００２】
【従来の技術】
近年、軽量なノート型パソコンの普及により出張先にこれを持参することが多くなったが、印刷装置（プリンタ）は嵩張るのでこれまで持参することは困難であるので、例えばＫＩＫＯＳのように電子的文書ファイル（以下、単に「文書ファイル」という）を印刷するサービスが現れている。
【０００３】
しかし、このような場合でもパソコンや文書ファイルを入れたフロッピーディスクなどの記憶媒体をその設備のある場所に持ち込む必要があった。
【０００４】
したがって、出張先など外出先に必要な文書ファイルを持って行くことを忘れていた場合や、文書ファイルの作成や修正が出発時に間に合わなかった場合などは対処できないという問題があり、また覚えていたとしても、外出先で必要とする相当部数の文書を持参するとすれば嵩張りあるいは重くて非効率的であった。
【０００５】
【発明が解決しようとする課題】
本発明は、このような従来の問題点に鑑みてなされたもので、外出先に行く途中で必要な文書を忘れたことに気づいた場合や、外出先で多くの部数の印刷物が必要な場合にも外出先で、その文書の印刷物を得ることができる、電子的文書ファイルの印刷システムとその印刷方法などを提供することを目的とする。
【０００６】
【課題を解決するための手段】
上記目的を達成するために、本発明によれば、近距離無線の通信機能を内蔵する携帯電話からの、特定の電子的文書ファイルの転送指示及び転送先情報と、前記携帯電話のアドレス情報により暗号化された前記近距離無線の通信機能のアドレス情報とを、受信する第１受信手段と、前記携帯電話のアドレス情報を検知する第１検知手段と、前記第１検知手段により検知したアドレス情報により、前記暗号化された前記近距離無線の通信機能のアドレス情報を復号する第１復号手段と、前記第１復号手段により復号された前記近距離無線の通信機能のアドレス情報に基づいて、前記転送要求された電子的文書ファイルを暗号化し送信する手段とを備えるファイルサーバと、前記ファイルサーバの前記送信手段から送信される暗号化された電子的文書ファイルを受信する第２受信手段と、前記電子的文書ファイルの印刷指示と前記近距離無線の通信機能のアドレス情報を前記携帯電話からの近距離無線の通信機能によりを受け付ける受付手段と前記受付手段により受け付けた前記近距離無線の通信機能のアドレス情報により、前記第２受信手段によって受信された前記暗号化された電子的文書ファイルを復号する第２復号手段とを備える印刷サーバとから成ることを特徴とする電子的文書ファイルの印刷システムを提供する。
【００１３】
さらに、本発明によれば、近距離無線の通信機能を内蔵する携帯電話により、電子的文書ファイルを記憶するファイルサーバに特定の電子的文書ファイルの転送及び転送先と、前記携帯電話のアドレス情報により暗号化された前記近距離無線の通信機能のアドレス情報を、前記ファイルサーバに送信するステップと、前記ファイルサーバにおいて前記携帯電話のアドレス情報を検知しこのアドレス情報により、前記近距離無線の通信機能のアドレス情報を復号化するステップと、このステップにより復号化された前記近距離無線の通信機能のアドレス情報により、前記転送を指示された電子的文書ファイルを暗号化し、印刷可能な形式に変換する印刷サーバに転送するステップと、このステップにより印刷サーバに転送された電子的文書ファイルを前記近距離無線の通信機能のアドレス情報により復号化するステップと、このステップにより復号化された前記電子的文書ファイルの印刷を前記携帯電話からその近距離無線の通信機能により印刷装置に指示するステップとを備えて成ることを特徴とする電子的文書ファイルの印刷方法を提供する。
【００１４】
【発明の実施の形態】
以下、本発明の実施形態について図面を用いて説明する。
【００１５】
図１に、本発明における一実施形態の全体構成図を示す。即ちこのシステムは、文書ファイルを含む電子ファイルを格納・管理するファイルサーバ１１と、印刷したい文書ファイルの転送や印刷の指示を行う携帯電話１２と、駅構内に設置され印刷サービスを行う印刷サーバ１３とこの印刷サーバ１３の近くに設置された印刷装置１４から成る。１５は文書ファイルを印刷装置１４により印刷した印刷書類である。
【００１６】
利用者は携帯電話１２を使い、印刷したい駅を指定して文書ファイルの印刷サーバ１３への転送指示をメールでファイルサーバ１１に送信する。ファイルサーバ１１はこれに対して、その駅にある印刷装置のアドレスを携帯電話に知らせる。
【００１７】
携帯電話１２は、例えば図２に示すように、印刷装置１４のアドレスを取得するためのブルートゥース通信部２１と、インターネットへの接続を可能とする電話回線網通信部２２と、内蔵するブルートゥース通信機能のアドレス情報を暗号化する暗号化部２３と、各種処理や制御を行う処理部２４と、作成したメール情報などを一時格納する記憶部２５と、利用者の指示を受け付ける操作部２６と、利用者に各種情報を提示する表示部２７から成り、この携帯電話１２はそれ自体のアドレス（携帯電話番号）と、ブルートゥース通信のアドレスを有している。
【００１８】
ファイルサーバ１１は、文書ファイルを暗号化し、指定された印刷サーバ１３に同様に暗号化された携帯電話のアドレス情報と共にファイル転送する機能を有する。
【００１９】
ファイルサーバ１１は、例えば図３に示すように、インターネットを介して携帯電話１２を接続する電話回線網通信部３１と、転送する文書ファイルを暗号化するための暗号化部３２と、携帯電話１２からのブルートゥースアドレス情報を復号化するためのブルートゥース復号化部３３と、全ての処理過程を制御する制御部３４と、処理過程で発生する情報を一時的に格納・記憶する記憶部３５と、文書ファイルを電子ファイルとして格納・読み出しを行うファイル入出力部３６と、文書ファイルを電子ファイルとして格納・記憶する電子ファイル３７から成り、このファイルサーバ１１は各携帯電話のアドレス情報（電話番号）をテーブル形式で有している。
【００２０】
印刷サーバ１３は、転送されてきた文書ファイルを一旦電子ファイルに保存しておく機能を有し、携帯電話１２からの印刷指示を待って該当する印刷装置１４により印刷出力する。
【００２１】
印刷サーバ１３は、例えば図４に示すように、接続している印刷装置１４のアドレス情報を配信するブルートゥース通信部４１とインターネットを介して転送文書ファイルの受信を行う電話回線網通信部４２と、すべての処理を制御する制御部４３と、処理過程の情報を一時格納しておく記憶部４４と、文書ファイルを電子ファイルとして格納・記憶したり、印刷時に読み出しを行うファイル入出力部４５と、文書ファイルを格納する電子ファイル４６と、印刷装置１４を制御する印刷制御部４７とから構成される。
【００２２】
また、印刷装置１４は、印刷サーバ１３からの電子ファイルを復号化する文書復号化部４８と、携帯電話１２からのブルートゥースアドレスを復号化するブルートゥース復号化部４９とから構成されている。
【００２３】
次に、本発明の一実施形態における処理の流れを図５に示すフローチャートを使って説明する。
【００２４】
携帯電話１２を所持する利用者が、出張の途上で出張に使う資料を所持して来なかったことに気づいたとする。そこで利用者は、ファイルサーバ１１に記憶されている自分の文書ファイルを出張先の最寄りの駅において該当する文書の印刷物を得ることを考える。そして、メールにより、ファイルサーバ１１から印刷サーバ１３へ文書ファイルを転送させ、当該駅に設置されている印刷装置１４を使って印刷文書１５を得る。
【００２５】
この場合の携帯電話１２における処理の詳細は以下のようになる。
【００２６】
利用者は、ステップＳ５０１において、携帯電話１２の操作部２６と表示部２７を用いてファイル転送指示のためのメールを作成する。このメールは、ファイルサーバ１１が転送指示の具体的内容を認識するためのものであり、人間が読むためのものでないので、文書ファイル名、転送先の印刷サーバ１３の設置された駅や施設の固有識別子などを携帯電話の所持者に入力あるいは選択を求める形式であればよい。その他、暗号化部２３において携帯電話のアドレス情報で暗号化されたブルートゥース通信部２１のアドレス情報が、このメールに自動的に添付される。このようにして作成されたメールは、処理部２４を経て、一旦記憶部２５に記憶される。
【００２７】
ステップＳ５０２では、処理部２４の指示により記憶部２５から上記作成済みのメールを読み出し、電話回線網通信部２２を用いてファイルサーバ１１に送信する。これにより、ファイルサーバ１１に文書ファイルの転送指示を行う。
【００２８】
ファイルサーバ１１では、ステップＳ５１１においてファイル転送指示のメールを図３に示した電話回線網通信部３１で受信する。ファイルサーバ１１はメールを送信してきた携帯電話１２のアドレスを知っているからこの該当アドレス情報により、携帯電話１２から送信されてきたブルートゥース通信部２１のアドレス情報を制御部３４の指示に基づき復号化部３３で復号化し、記憶部３５に一時記憶する。
【００２９】
ステップＳ５１２で制御部３４は、ファイル入出力部３６に指示して転送指定の文書ファイルを電子ファイル３７より読み出す。このとき、ステップＳ５１１で復号化した携帯電話１２のブルートゥース通信部２１のアドレス情報を用いて当該文書ファイルを暗号化部３２で暗号化する。
【００３０】
ステップＳ５１３では、ステップＳ５１２で暗号化された文書ファイルを、電話回線網通信部３１を用いて指定された印刷サーバ１３にファイル転送し、終了する。
【００３１】
印刷サーバ１３は、ファイルサーバ１１から転送された文書ファイルを、インターネットを介して受信し、図4の電子ファイル４６に一旦格納する。つまり、転送される文書ファイルは、電話回線網通信部４２で受信され、制御部４３の指示によりファイル入出力部４５を用いて電子ファイル４６に格納・記憶され、その後ファイル入出力部４５印刷制御部４７を介して印刷装置１４に送られる。
【００３２】
利用者は出張先の最寄の駅で降りて所持する携帯電話１２により、文書ファイルの印刷指示を、出力させたい印刷装置１４に対してステップＳ５０３で行う。携帯電話１２の利用者は図２の操作部２６を用いて、希望する文書ファイルを指定した印刷指示を、出力させたい印刷装置１４にアドレス情報を含む印刷指示情報として送信する。
【００３３】
なお、電子ファイル４６に一旦記憶された印刷したい文書ファイルは、携帯電話を所持する利用者が駅に降りて印刷を指示するしたときにファイル入出力部４５及び印刷制御部４７を介して印刷装置１４に送られるようにしてもよい。この場合、印刷サーバ１３はこの印刷指示情報を図４の電話回線網通信部４２で受信し、制御部４３を経由して記憶部４４に一時記憶する。
【００３４】
印刷装置１４では、携帯電話１２からブルートゥースのアドレス情報を受信し、このアドレス情報を用いて先に受信している文書ファイルを復号化する。復号化された文書は、ステップＳ５２３において印刷され、出力される。
【００３５】
この際、文書ファイルの所有者（ファイルサーバ１１から転送した者）と印刷を指示した者が一致するかをチェックする、認証の確認が行なわれる。携帯電話１２のブルートゥース通信部２１のアドレス情報により文書ファイルは復号化されているから、このアドレス情報が異なる携帯電話によって、復号化されても、文書ファイルの文書は正常に再現されないので、これにより本人の認証が行われることになる。
【００３６】
このようにして、携帯電話１２の所持者は電子ファイル化された文書ファイルを、どこにいても、いつでも最寄りの駅や降車予定の駅の印刷サーバ１３を経て印刷装置１４に転送でき、そこで目的とする文書ファイルの印刷書類１５を入手することができる。
【００３７】
また、上記文書ファイル名はセキュリティを考慮して、携帯電話１２からファイルサーバ１１へ送信されるときに携帯電話１２固有の識別子であるアドレスにより暗号化され、ファイルサーバ１１で復号化される。また、文書ファイルは、ファイルサーバ１１において携帯電話１２のブルートゥースのアドレス情報で暗号化されてから送信され、印刷サーバ１３においてその携帯電話のブルートゥースのアドレス情報で復号化されることによって認証され、それぞれ保護される。
【００３８】
ところで、上記実施形態では、携帯電話１２所持者である利用者が駅構内の印刷サーバ１３と通信可能な範囲にいて、印刷サーバ１３へ印刷指示の送信をブルートゥースの通信機能を使っている。この方法では、携帯電話１２に内蔵されたブルートゥース通信機能と印刷サーバ１３のブルートゥース通信機能のみによるデータの送受信であるため、携帯電話所持者がその近くに行かなければ、印刷装置に印刷指示を行い、文書ファイルを復号化できず、したがってその文書の印刷物を入手できずまた、その携帯電話所持者が当該駅から離れてしまえば携帯電話のブルートゥースのアドレスが不明になり、後で、復号化された文書が印刷されるようなことはなく、秘密保持の面で利点がある。
【００３９】
本発明の上記実施態様では、印刷サーバが駅構内に印刷装置とセットで設置されていた。比較的大きな駅では、このシステムが頻繁に使われる可能性が高く、印刷サーバがその駅用として、印刷装置のそばに設けられている方が効率的である。
【００４０】
しかし、本発明では印刷サーバが必ずしも常に印刷装置の近くに設けられている必要はない。小さな駅では、このシステムによって印刷を行う頻度はあまり高くなく、したがって印刷サーバが複数駅で共用されてもよく、この場合には印刷サーバは、印刷装置とは離れて設置される。こうすることによって、印刷サーバの稼働率を向上させることができる。
【００４１】
次にこの種の本発明の実施形態について説明する。図６にその全体構成を示す。ＪＲのＪＲイントラネットを使って、印刷サーバ１３を一ヶ所にまとめて設置し、印刷装置１４をＪＲイントラネットに接続して各駅構内に分散して配置するものである。
【００４２】
このシステムは、図１のファイルサーバ１１と同様の機能を有するファイルサーバ６１と、それからの転送文書ファイルを、インターネットを介して受信する中央印刷サーバ６２と、ＪＲイントラネット６３、それに接続した印刷装置６４と構成されている。６５は印刷装置６４により印刷された印刷書類である。
【００４３】
この実施形態の例では、携帯電話１２と中央印刷サーバ６２との通信はインターネットを介したメール通信などで行う。中央印刷サーバ６２では、携帯電話のブルートゥースアドレス情報で文書が復号化されて所定の印刷装置に送信されるが、JRイントラネットを介して送られるため、秘密性は保持される。また、文書ファイルを出力させたい印刷装置６４のアドレス情報は、各駅に設置された印刷装置６４に付随するブルートゥース通信機器により配信する。この場合も利用者が各駅構内に設置された印刷装置の近くに行き、印刷指示を行うことにより、印刷書類を入手できる。
【００４４】
この実施形態の利点は、既存のイントラネットなどのネットワークを使用すること、および印刷システムのサーバを中央印刷サーバ６２に一元化できるため、当該印刷サービスシステムの構築コストを最小限に抑えることが可能である。また、サーバシステムが一ヶ所に集中するため維持管理作業や、運用コストの面においても前述の実施形態の例よりも容易で低コストで運用できる利点もある。
【００４５】
なお、本発明の上記実施形態において、中央印刷サーバ６２からインターネットで各駅構内に設置した印刷装置に文書ファイルを送信することもできる。この場合には、各印刷装置にはブルートゥースアドレスによる文書ファイルの復号化機能を備えておき、中央印刷サーバ６２から各印刷装置には暗号化したままで送信し、利用者が印刷装置の近くで印刷を指示したときに文書ファイルをその携帯電話のブルートゥースアドレス情報により復号化し印刷する。このようにすれば、中央印刷サーバから印刷装置には、暗号化されたままで送信されるので、インターネットを介して送信されても、セキュリティを高く保持することができる。
【００４６】
ところで、前述の実施形態は、いずれも駅構内に少なくとも印刷装置を設けていた。しかし、本発明において印刷装置を設置する場所は駅構内に限らない。本発明では、印刷装置のみを、あるいは印刷装置と印刷サーバをホテルなどの宿泊施設やコンビニエンスストアなどに設置してもよい。また、本発明の上記実施形態では送信されてきた文書はそのまま印刷装置で印刷していた。しかし、本発明においては、文書ファイルを一旦表示させ、修正してから印刷することもできる。
【００４７】
次に、この種の本発明の実施形態について説明する。このシステムでは、印刷サーバに転送された文書ファイルを修正することができる。比較的長距離で、宿泊を伴うような出張などの場合であって、宿泊したホテルにＯＡ機器などを備えたビジネスコーナーなどがあるような場合は、持参したノートパソコンを使ったり、設置されたパソコンを借りるなどして、文書の作成や修正を行うことができる。上記の印刷サーバに転送済みの文書ファイルをパソコンにダウンロードして修正し、再び印刷サーバにアップロードするか、修正後そのまま印刷する方法である。
【００４８】
このシステムは、図７に全体構成を示すように、必要な文書ファイルを利用者からの指示により転送するファイルサーバ７１と、その文書ファイルの転送や印刷などの指示を行う携帯電話７２と、ファイルサーバ７１からの転送文書ファイルを受信し記憶すると共に、携帯電話７２を操作した利用者からの文書ファイルのダウンロードや印刷の指示を受けて、それらを処理する印刷サーバ７３と、文書ファイルのダウンロードや修正、アップロードを行うパソコン７４と、文書ファイルを印刷する印刷装置７５とから成る。７６は印刷装置７５により印刷された印刷書類である。携帯電話７２には、パソコン７４のアドレスや、印刷装置７５のアドレスが知らされる。
【００４９】
当該実施形態の処理手順を図８に示したフローチャートを用いて説明する。文書ファイルが、携帯電話７２の転送指示によりファイルサーバ７１から印刷サーバ７３に暗号化されて転送され格納・記憶されるまでは、図５に示した上記実施形態の場合と同じなので、説明を省略する。
【００５０】
ステップＳ８０１において、携帯電話７２からホテルのビジネスコーナに備え付けられたパソコン７４への文書ファイルの転送を印刷サーバ７３に指示する。印刷サーバ７３では、これをステップＳ８１１で受け、指定された文書ファイルを電子ファイルから読み出しパソコン７４へ転送する。
【００５１】
パソコン７４では、ステップＳ８２１で印刷サーバ７３からの転送文書ファイルを受信（ダウンロード）する。ステップＳ８２２では、ダウンロードした文書ファイルが携帯電話７２のブルートゥースのアドレス情報で暗号化されているため、このアドレス情報を用いて文書ファイルを復号化する。ステップＳ８２３で、復号化した文書ファイルをパソコン７４の文書処理プログラムなどを用いて修正する。
【００５２】
ステップＳ８２４では、修正された文書ファイルを携帯電話７２のブルートゥースのアドレス情報で再度暗号化した後、ステップＳ８２５において、この暗号化した修正済み文書ファイルを印刷サーバ７３に送信（アップロード）する。
【００５３】
印刷サーバ７３は、ステップＳ８１２でこれを受信し電子ファイルに格納・記憶する。携帯電話７２では、利用者による印刷指示をステップＳ８０２で受け付け、印刷サーバ７３にそれを送信する。
【００５４】
印刷サーバ７３は、印刷指示を受けてステップＳ８１３で指定された文書ファイルを電子ファイルから読み出し、携帯電話７２のブルートゥースアドレス情報で復号化する。復号化した文書ファイルをステップＳ８１４で、ホテルのビジネスコーナに設置された印刷装置７５により印刷する。
【００５５】
本発明のこの実施形態によれば、パソコンなどを用いて、転送された文書ファイルをそのまま印刷するだけでなく印刷前に修正できる利点がある。
【００５６】
本発明の上記実施形態では、ダウンロードした文書ファイルを復号化し修正した後、暗号化して再び印刷サーバにアップロードした。しかし、本発明ではダウンロードした文書ファイルを復号化し修正した後、暗号化することなく直接印刷装置において印刷するようにしてもよい。印刷サーバが印刷装置の近くにある場合にはこの方が簡単である。また、修正する文書ファイルは、ファイルサーバからダウンロードすることもできる。
【００５７】
ところで、本発明の上述の実施形態において、文書ファイルは暗号化されて印刷サーバに転送されたが、インターネットを使わなく専用線などにより文書ファイルが転送される場合や、インターネットにより送られる場合でもＰＶＮが用いられる場合など相当のセキュリティが施されている場合には、必ずしも暗号化される必要はない。
【００５８】
また、本発明の上記実施形態では、印刷装置への印刷などの指示はブルートゥース通信機能によるものとして説明してきた。しかし、本発明においては、ブルートゥース通信機能により実際の印刷あるいはダウンロード指示を行う場合に限られない。一般的には近距離無線通信機能を用いて印刷あるいは文書ファイルのダウンロードの指示を行うことができる場合に本発明は適用できる。
【００５９】
【発明の効果】
本発明により、インターネットに接続し印刷装置を持つ印刷サーバを各駅や宿泊施設に用意して、利用者の持つ携帯電話から文書ファイルの転送や印刷を指示できる印刷サービスシステムとその方法を提供することができる。
【図面の簡単な説明】
【図１】本発明における一実施形態の全体構成例を示す図。
【図２】本発明の一実施形態における携帯電話の構成例を示す図。
【図３】本発明の一実施形態におけるファイルサーバの構成例を示す図。
【図４】本発明の一実施形態における印刷サーバの構成例を示す図。
【図５】本発明における一実施形態の動作手順を説明するための図。
【図６】本発明における他の実施形態の構成例を説明するための図。
【図７】本発明における他の実施形態の全体構成例を示す図。
【図８】本発明における他の実施形態の動作手順を説明するための図。
【符号の説明】
１１、６１、７１・・・ファイルサーバ、１２、７２・・・携帯電話、１３、７３・・・印刷サーバ、１４、６４、７５・・・印刷装置、１５、６５、７６・・・印刷書類、２１、４１・・・ブルートゥース通信部、２２、３１、４２・・・電話回線網通信部、２３、３２・・・暗号化部、２４・・・処理部、２５、４５、４５・・・記憶部、２６・・・操作部、２７・・・表示部、３３・・・復号化部、３４、４３・・・制御部、３６、４５・・・ファイル入出力部、３７、４６・・・電子ファイル、４７・・・印刷制御部、４８・・・文書復号化部、４９・・・ブルートゥース復号化部。６２・・・中央印刷サーバ、６３・・・ＪＲイントラネット、７４・・・パソコン。
【図１】
0003857076.tif 000002
【図２】
0003857076.tif 000003
【図３】
0003857076.tif 000004
【図４】
0003857076.tif 000005
【図５】
0003857076.tif 000006
【図６】
0003857076.tif 000007
【図７】
0003857076.tif 000008
【図８】
0003857076.tif 000009